(57)【要約】【課題】不要な画像処理を実施したり、ユーザが意図しない複写物が生成されたりするのを回避することができる画像読取装置及び画像形成装置を提供する。【解決手段】画像読取結果画面で表示されているサムネイル画像の中から１つのサムネイル画像が選択された上で「筋除去位置指定」ボタンが操作されると、そのサムネイル画像が予め定められた倍率で拡大された拡大画像（例えば矢印Ｘで示す画像）と、筋指定カーソルＭと、「筋除去位置確定」ボタンＢ８とを有する筋位置指定画面が表示部５１に表示される。筋指定カーソルＭは、除去対象の筋（の位置）を指定するための指標であり、前記筋除去位置確定ボタンＢ８が操作されると、この時点で前記筋指定カーソルＭと重畳する筋の画像が筋画像除去処理部の処理対象に設定され、該筋画像を除去する処理が前記筋画像除去処理部により行われる。【選択図】図６
2010021939.tif 000002
【特許請求の範囲】
【請求項１】
原稿を搬送する原稿搬送部と、予め定められた読取位置で主走査方向の読取動作を行う読取部とを備え、前記読取位置を副走査方向に通過する原稿に対して前記読取部による前記主走査方向の読取動作を行う画像読取装置であって、
前記読取部による読取動作で得られた画像の中に、前記読取位置に付着した異物の存在に起因して生じる筋画像が存在するか否かを判断する判断部と、
前記判断部による判断結果を報知する報知部と、
前記判断部により前記筋画像が存在すると判断された画像から前記筋画像を除去する筋画像除去処理の要否を入力するための要否入力部と、
前記要否入力部により前記筋画像除去処理が必要であると入力された場合に前記筋画像除去処理を実行する筋画像除去処理部と
を備える画像読取装置。
【請求項２】
複数のページに対する読取動作の実行を一括して指示するための読取指示部を備え、
前記判断部は、前記読取指示部による前記指示の入力に基づく読取動作の対象となった前記複数のページについて、ページごとに前記筋画像の有無を判断し、
前記報知部は、前記読取指示部による前記指示の入力に基づく読取動作の対象となった前記複数のページの画像を、前記判断部によるページごとの判断結果とあわせて表示する表示部を含み、
前記要否入力部は、前記表示部による表示動作後において、前記ページごとに前記筋画像除去処理の要否を入力するためのものであり、
前記筋画像除去処理部は、前記要否入力部により前記筋画像除去処理が必要であると入力されたページの画像についてのみ前記筋画像除去処理を実行する請求項１に記載の画像読取装置。
【請求項３】
複数のページに対する読取動作の実行を一括して指示するための読取指示部を備え、
前記判断部は、前記読取指示部による前記指示の入力に基づく読取動作の対象となった前記複数のページについて、ページごとに前記筋画像の有無を判断し、
前記報知部は、前記読取指示部による前記指示の入力に基づく読取動作の対象となった前記複数のページの中から、前記判断部により前記筋画像が存在すると判断された画像を有するページのみを抽出してこの抽出したページの画像を表示する表示部を含み、
前記要否入力部は、前記表示部による表示動作後において、前記表示部に画像が表示されたページごとに筋画像除去処理の要否を入力するためのものであり、
前記筋画像除去処理部は、前記要否入力部により前記筋画像除去処理が必要であると入力されたページの画像についてのみ前記筋画像除去処理を実行する請求項１に記載の画像読取装置。
【請求項４】
複数のページに対する読取動作の実行を一括して指示するための読取指示部を備え、
前記要否入力部は、前記読取指示部による前記指示の入力に基づく読取動作の対象となる前記複数のページの中から、前記筋画像除去処理を実行する対象のページをページ範囲で指定するものである請求項１に記載の画像読取装置。
【請求項５】
前記読取部は、前記原稿の一方のページに対し主走査方向の読取動作を行う第１の読取部と、前記第１の読取部による読取位置と異なる読取位置で、前記原稿の他方のページに対し主走査方向の読取動作を行う第２の読取部とを有し、
複数のページに対する読取動作の実行を一括して指示するための読取指示部と、
前記第１の読取部による前記原稿の一方のページの読み取りが終了した後、当該原稿をその他方のページが前記第１の読取部に読み取られる状態として反転させて搬送する反転部と、
前記第１及び第２の読取部による読取位置を通過点とする搬送路上で原稿の搬送動作を行う搬送部と、
前記第１の読取部により前記原稿の一方のページを読み取り、前記反転部による当該原稿の反転後に、前記第１の読取部が当該原稿の他方のページを読み取る両面反転読取モードと、前記第１の読取部が当該原稿の一方のページを読み取るとともに、前記第２の読取部が当該原稿の前記第１の読取部による読取ページと反対側のページを読み取る両面同時読取モードとのうちいずれかのモードで前記読取部及び前記搬送部に動作を行わせる制御部とを備え、
前記要否入力部は、前記両面同時読取モードで前記読取指示部による前記指示の入力に基づく読取動作が行われる場合に、前記第１の読取部による読取対象のページを前記筋画像除去処理の実施対象とするか前記第２の読取部による読取対象のページを前記筋画像除去処理の実施対象とするかを選択する入力を行うためのものである請求項１に記載の画像読取装置。
【請求項６】
前記要否入力部は、前記読取動作で得られた画像の各部位の中から、前記筋画像除去処理を実行させる部位を指定する入力を行うための除去位置入力部を備える請求項１ないし５のいずれか一項に記載の画像読取装置。
【請求項７】
前記読取部は、前記原稿の一方のページに対し主走査方向の読取動作を行う第１の読取部と、前記第１の読取部より読取精度が低く、前記第１の読取部による読取位置と異なる読取位置で、前記原稿の他方のページに対し主走査方向の読取動作を行う第２の読取部とを有し、
複数のページに対する読取動作の実行を一括して指示するための読取指示部と、
前記第１の読取部による前記原稿の一方のページの読み取りが終了した後、当該原稿をその他方のページが前記第１の読取部に読み取られる状態として反転させて搬送する反転部と、
前記第１及び第２の読取部による読取位置を通過点とする搬送路上で原稿の搬送動作を行う搬送部と、
前記第１の読取部により前記原稿の一方のページを読み取り、前記反転部による当該原稿の反転後に、前記第１の読取部が当該原稿の他方のページを読み取る両面反転読取モードと、前記第１の読取部が当該原稿の一方のページを読み取るとともに、前記第２の読取部が当該原稿の前記第１の読取部による読取ページと反対側のページを読み取る両面同時読取モードとのうちいずれかのモードで前記読取部及び前記搬送部に動作を行わせる制御部とを備え、
前記要否入力部は、前記両面反転読取モード及び両面反転読取モードのうち前記両面反転読取モードの場合において、前記読取動作で得られた画像の各部位の中から、前記筋画像除去処理を実行させる部位を指定する入力を行うための除去位置入力部を備える請求項６に記載の画像読取装置。
【請求項８】
請求項１ないし７のいずれか一項に記載の画像読取装置と、
前記画像読取装置から出力される画像データに基づき、記録媒体に画像を形成する画像形成部と
を備える画像形成装置。
【発明の詳細な説明】
【技術分野】
【０００１】
本発明は、透明板の一方主面上を移動するように読取り対象の原稿を搬送しつつ、透明板の他方主面側から原稿の画像を読み取る、いわゆるシートスルー型の画像読取装置及び該画像読取装置を備えた画像形成装置に関する。
【背景技術】
【０００２】
シートスルー型の画像読取装置を用いて原稿の画像を読み取り、プリンタにより印刷したり、パーソナルコンピュータ等のコンピュータに画像を取り込んでディスプレーに表示したりした場合に、画像の中に、副走査方向に沿った筋状の画像が現れることがある。これは、通常、ゴミ、塵或いは搬送される原稿の用紙の紙粉等の異物が画像読取装置のガラスに付着することや該ガラスにキズがあること等に起因するものである。筋状の画像は、白地部である地肌部に黒筋となって現れたり画像部分に白筋となって現れたりするもので、視覚的に目立つため、原稿に忠実な画像データを得ることが望まれる画像読取装置にとっては、このような筋状の画像の排除が要望される。
【０００３】
かかる筋状の画像の発生を抑制することを目的とした技術として、例えば特許文献１に開示されているものがある。
【０００４】
下記特許文献１には、「読取られた画像情報のデータＤ２にプラテンガラス１の汚れに起因するデータが・・・（中略）・・・含まれている場合は（ステップＳ１２でＹＥＳ）、画像処理部１０６はまず最初に、原稿用紙から読取られた画像情報のデータＤ２からプラテンガラス１の画像情報のデータＤ１中の汚れの画像に対応する縦筋状の画像１Ｂ、１Ｄ、１Ｅを除去した・・・（中略）・・・データＤ３を作成する（ステップＳ１５）。しかし、このデータＤ３の状態のままで画像処理を行なうと、ステップＳ１５で除去した縦筋状の画像の部分に原稿用紙から得られた本来必要なデータが含まれている場合には、それらのデータが欠落したままの画像データが得られることになる。従って、ＣＰＵ１０１はステップＳ１５において除去した縦筋状の部分の各画素に関して、それぞれの周辺画素の情報、具体的には・・・（中略）・・・それぞれの周辺画素に画像情報のデータＤ４が含まれているか否かを判断する（ステップＳ１６）。このステップＳ１６での判断の結果、・・・（中略）・・・先にステップＳ１５において除去したそれぞれの画素の周辺画素に画像データＤ４（Ｄ４Ｙ）が存在する場合は（ステップＳ１７でＹＥＳ）、画像処理部１０６は画像データを除去した画素に画像データＤ４（Ｄ４Ｙ）を付加し（ステップＳ１８）、これによって得られた図８に示すようなデータＤ５に対して画像処理を行なう（ステップＳ１９）。（［００７３］，［００７４］）」と記載されている。
【特許文献１】特開２００３−３１９１７５号公報
【発明の開示】
【発明が解決しようとする課題】
【０００５】
前記特許文献１のように、筋状の画像を検出すると、常に、筋状の画像を除去する画像処理を実施するように構成した場合、除去すべきではない筋状の画像やユーザが除去する必要は無いと考える筋状の画像についてまで前記画像処理が実施される可能性がある。この場合、不要な画像処理を実施する分、複写物の生成が遅延したり、ユーザが意図しない複写物が生成されたりするという問題が生じる。
【０００６】
本発明は、上述した問題点を解決するためになされたものであり、不要な画像処理を実施したり、ユーザが意図しない複写物が生成されたりするのを回避することができる画像読取装置及び画像形成装置を提供することを目的とする。
【課題を解決するための手段】
【０００７】
請求項１に記載の発明は、原稿を搬送する原稿搬送部と、予め定められた読取位置で主走査方向の読取動作を行う読取部とを備え、前記読取位置を副走査方向に通過する原稿に対して前記読取部による前記主走査方向の読取動作を行う画像読取装置であって、前記読取部による読取動作で得られた画像の中に、前記読取位置に付着した異物の存在に起因して生じる筋画像が存在するか否かを判断する判断部と、前記判断部による判断結果を報知する報知部と、前記判断部により前記筋画像が存在すると判断された画像から前記筋画像を除去する筋画像除去処理の要否を入力するための要否入力部と、前記要否入力部により前記筋画像除去処理が必要であると入力された場合に前記筋画像除去処理を実行する筋画像除去処理部とを備えるものである。
【０００８】
この発明によれば、前記読取部により原稿に対する読取動作が行われると、前記判断部により、前記読取動作で得られた画像の中に、前記読取位置に付着した異物の存在に起因して生じる筋画像が存在するか否かが判断され、前記判断部による判断結果が前記報知部によって報知される。そして、前記要否入力部により前記筋画像除去処理が必要であると入力された場合に、前記筋画像除去処理部により前記筋画像除去処理が実行される。
【０００９】
このように、前記筋画像除去処理の実行の要否をユーザが決定できる機能を画像読取装置に搭載したので、ユーザが前記筋画像除去処理の実行を不要であると考える原稿にまで前記筋画像除去処理を実施したり、この不要な筋画像除去処理の実施によってユーザが意図しない複写物が生成されたりするのを回避することができる。
【００１０】
請求項２に記載の発明は、請求項１に記載の発明において、複数のページに対する読取動作の実行を一括して指示するための読取指示部を備え、前記判断部は、前記読取指示部による前記指示の入力に基づく読取動作の対象となった前記複数のページについて、ページごとに前記筋画像の有無を判断し、前記報知部は、前記読取指示部による前記指示の入力に基づく読取動作の対象となった前記複数のページの画像を、前記判断部によるページごとの判断結果とあわせて表示する表示部を含み、前記要否入力部は、前記表示部による表示動作後において、前記ページごとに前記筋画像除去処理の要否を入力するためのものであり、前記筋画像除去処理部は、前記要否入力部により前記筋画像除去処理が必要であると入力されたページの画像についてのみ前記筋画像除去処理を実行するものである。
【００１１】
この発明によれば、読取指示部により、複数のページに対する読取動作の実行が一括して指示されると、前記読取部により前記複数のページに対する一連の読取動作が行われ、前記判断部により、ページごとに前記筋画像の有無が判断され、前記表示部により、各ページの画像が、前記判断部によるページごとの判断結果とあわせて表示される。
【００１２】
そして、前記要否入力部により前記筋画像除去処理が必要であると入力されたページがあると、前記筋画像除去処理部により、そのページの画像についてのみ前記筋画像除去処理が実行される。
【００１３】
このように、複数のページに対する読取動作の実行が一括して指示されることにより、前記読取部で前記複数のページに対する読取動作が順次行われる場合に、ページごとに、前記筋画像除去処理の要否をユーザが決定できるようにしたので、ユーザが前記筋画像除去処理の実行を不要であると考える原稿にまで前記筋画像除去処理を実施したり、この不要な筋画像除去処理の実施によってユーザが意図しない複写物が生成されたりするのをより確実に回避することができる。
【００１４】
請求項３に記載の発明は、請求項１に記載の発明において、複数のページに対する読取動作の実行を一括して指示するための読取指示部を備え、前記判断部は、前記読取指示部による前記指示の入力に基づく読取動作の対象となった前記複数のページについて、ページごとに前記筋画像の有無を判断し、前記報知部は、前記読取指示部による前記指示の入力に基づく読取動作の対象となった前記複数のページの中から、前記判断部により前記筋画像が存在すると判断された画像を有するページのみを抽出してこの抽出したページの画像を表示する表示部を含み、前記要否入力部は、前記表示部による表示動作後において、前記表示部に画像が表示されたページごとに筋画像除去処理の要否を入力するためのものであり、前記筋画像除去処理部は、前記要否入力部により前記筋画像除去処理が必要であると入力されたページの画像についてのみ前記筋画像除去処理を実行するものである。
【００１５】
この発明によれば、読取指示部により、複数のページに対する読取動作の実行が一括して指示されると、前記読取部により前記複数のページに対する一連の読取動作が順次行われ、前記判断部により、ページごとに前記筋画像の有無が判断され、前記表示部により、前記読取指示部による前記指示の入力に基づく読取動作の対象となった前記複数のページの中から、前記判断部により前記筋画像が存在すると判断された画像を有するページのみが抽出されてこの抽出されたページの画像が表示される。
【００１６】
そして、前記要否入力部により前記筋画像除去処理が必要であると入力されたページがあると、前記筋画像除去処理部により、そのページの画像についてのみ前記筋画像除去処理が実行される。
【００１７】
このように、複数のページに対する読取動作の実行が一括して指示されることにより、前記読取部で前記複数のページに対する一連の読取動作が行われる場合に、ページごとに、前記筋画像除去処理の要否をユーザが決定できるようにしたので、ユーザが前記筋画像除去処理の実行を不要であると考える原稿にまで前記筋画像除去処理を実施したり、この不要な筋画像除去処理の実施によってユーザが意図しない複写物が生成されたりするのをより確実に回避することができる。
【００１８】
請求項４に記載の発明は、請求項１に記載の画像読取装置において、複数のページに対する読取動作の実行を一括して指示するための読取指示部を備え、前記要否入力部は、前記読取指示部による前記指示の入力に基づく読取動作の対象となる前記複数のページの中から、前記筋画像除去処理を実行する対象のページをページ範囲で指定するものである。
【００１９】
この発明によれば、複数のページに対する読取動作の実行が一括して指示されることにより、前記読取部で前記複数のページに対する一連の読取動作が行われる場合に、前記読取指示部による前記指示の入力に基づく読取動作の対象となる前記複数のページの中から、前記筋画像除去処理を実行する対象のページをページ範囲で指定できるようにしたので、前記筋画像除去処理を実行する対象のページをページ単位で指定する場合に比して、利便性を向上することができる。
【００２０】
請求項５に記載の発明は、請求項１に記載の画像読取装置において、前記読取部は、前記原稿の一方のページに対し主走査方向の読取動作を行う第１の読取部と、前記第１の読取部による読取位置と異なる読取位置で、前記原稿の他方のページに対し主走査方向の読取動作を行う第２の読取部とを有し、複数のページに対する読取動作の実行を一括して指示するための読取指示部と、前記第１の読取部による前記原稿の一方のページの読み取りが終了した後、当該原稿をその他方のページが前記第１の読取部に読み取られる状態として反転させて搬送する反転部と、前記第１及び第２の読取部による読取位置を通過点とする搬送路上で原稿の搬送動作を行う搬送部と、前記第１の読取部により前記原稿の一方のページを読み取り、前記反転部による当該原稿の反転後に、前記第１の読取部が当該原稿の他方のページを読み取る両面反転読取モードと、前記第１の読取部が当該原稿の一方のページを読み取るとともに、前記第２の読取部が当該原稿の前記第１の読取部による読取ページと反対側のページを読み取る両面同時読取モードとのうちいずれかのモードで前記読取部及び前記搬送部に動作を行わせる制御部とを備え、前記要否入力部は、前記両面同時読取モードで前記読取指示部による前記指示の入力に基づく読取動作が行われる場合に、前記第１の読取部による読取対象のページを前記筋画像除去処理の実施対象とするか前記第２の読取部による読取対象のページを前記筋画像除去処理の実施対象とするかを選択する入力を行うためのものである。
【００２１】
この発明によれば、前記第１及び第２の読取部が備えられている構成において、前記両面同時読取モードで前記読取指示部による前記指示の入力に基づく読取動作が行われる場合に、前記第１の読取部による読取対象のページを前記筋画像除去処理の実施対象とするか前記第２の読取部による読取対象のページを前記筋画像除去処理の実施対象とするかを選択する入力が行えるようにしたので、利便性を向上することができる。
【００２２】
請求項６に記載の発明によれば、請求項１ないし５のいずれか一項に記載の画像読取装置において、前記要否入力部は、前記読取動作で得られた画像の各部位の中から、前記筋画像除去処理を実行させる部位を指定する入力を行うための除去位置入力部を備えるものである。
【００２３】
この発明によれば、前記要否入力部に、前記読取動作で得られた画像の各部位の中から、前記筋画像除去処理部による筋画像除去処理を実行させる部位を指定する入力を行うための除去位置入力部を備えたので、画像の部位ごとに前記筋画像除去処理の要否を設定することができる。
【００２４】
請求項７に記載の発明は、請求項６に記載の画像読取装置において、前記読取部は、前記原稿の一方のページに対し主走査方向の読取動作を行う第１の読取部と、前記第１の読取部より読取精度が低く、前記第１の読取部による読取位置と異なる読取位置で、前記原稿の他方のページに対し主走査方向の読取動作を行う第２の読取部とを有し、複数のページに対する読取動作の実行を一括して指示するための読取指示部と、前記第１の読取部による前記原稿の一方のページの読み取りが終了した後、当該原稿をその他方のページが前記第１の読取部に読み取られる状態として反転させて搬送する反転部と、前記第１及び第２の読取部による読取位置を通過点とする搬送路上で原稿の搬送動作を行う搬送部と、前記第１の読取部により前記原稿の一方のページを読み取り、前記反転部による当該原稿の反転後に、前記第１の読取部が当該原稿の他方のページを読み取る両面反転読取モードと、前記第１の読取部が当該原稿の一方のページを読み取るとともに、前記第２の読取部が当該原稿の前記第１の読取部による読取ページと反対側のページを読み取る両面同時読取モードとのうちいずれかのモードで前記読取部及び前記搬送部に動作を行わせる制御部とを備え、前記要否入力部は、前記両面反転読取モード及び両面反転読取モードのうち前記両面反転読取モードの場合において、前記読取動作で得られた画像の各部位の中から、前記筋画像除去処理を実行させる部位を指定する入力を行うための除去位置入力部を備えるものである。
【００２５】
この発明によれば、前記両面同時読取モードは、前記第２の読取部は前記第１の読取部に比して読取精度が低いため、前記他方のページから得られる画像の画質は、前記両面反転読取モードの場合の画質に比して低い。一方、前記両面反転読取モードは、前記反転部による原稿の反転を実施するため、その分、前記両面同時読取モードに比して時間がかかるが、前記他方のページから得られる画像の画質は、前記両面同時読取モードの場合の画質に比して高い。
【００２６】
この点を考慮すると、前記両面同時読取モードが選択されたときは、ユーザは高い画質を要求しておらず、生産性（単位時間当たりに画像を読み取れるページ数）を重視しているものと考えられる。
【００２７】
そこで、本発明のように、前記要否入力部は、前記両面反転読取モードの場合にのみ前記除去位置入力部を備えることで、前記両面反転読取モードが選択されているときには、前記除去位置入力部を用いて除去したい筋画像が指定可能となり、画像の画質が追求され、また、前記両面同時読取モードが選択されているときには、前記除去位置入力部による入力ステップ等が省略されることとなり、前記生産性が追求される。
【００２８】
請求項８に記載の発明は、請求項１ないし７のいずれか一項に記載の画像読取装置と、前記画像読取装置から出力される画像データに基づき、記録媒体に画像を形成する画像形成部とを備える画像形成装置である。
【００２９】
この発明によれば、画像形成装置において、請求項１ないし７のいずれか一項に記載の発明の効果が得られる。
【発明の効果】
【００３０】
本発明によれば、前記筋画像除去処理の実行の要否をユーザが決定できる機能を画像読取装置及び画像形成装置に搭載したので、ユーザが前記筋画像除去処理の実行を不要であると考える原稿にまで前記筋画像除去処理を実施したり、この不要な筋画像除去処理の実施によってユーザが意図しない複写物が生成されたりするのを回避することができる。
【発明を実施するための最良の形態】
【００３１】
以下、本発明に係る画像読取装置及び画像形成装置の実施形態について図面を参照して説明する。尚、以下の実施形態では、本発明に係る画像読取装置及び画像形成装置として、カラーコピー、スキャナ、ファクシミリ、プリンタ等の機能を備えた複合機に集約した形態を例に説明する。図１は、この複合機の内部構成を模式的に示した縦断面図である。
【００３２】
複合機１は、大きく分けて、画像読取部２と装置本体３とからなる。画像読取部２は、原稿給紙部２１と、スキャナ部２２と、ＣＩＳ２３１と、操作部５と、後述する反転機構及び制御部６１（図３参照）を備えてなる。原稿給紙部２１は、ＡＤＦ（Automatic Document Feeder）を備え、原稿トレイ２１１、ピックアップローラ２１２、プラテン２１３、排紙ローラ２１４及び排紙トレイ２１５を有する。原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００３３】
前記プラテン２１３の周面に対向する位置のうち、原稿の搬送方向において後述する読取位置Ｐより手前の予め定められた位置には、用紙を検出するタイミングセンサ（図示せず）が設置されており、該タイミングセンサの出力信号に基づき、前記読取位置Ｐへの原稿の搬送タイミングが図られる。前記タイミングセンサは、例えばフォトインタラプタにより構成される。
【００３４】
スキャナ部（第１の読取部）２２は、原稿の画像を光学的に読み取って画像データを生成するものである。スキャナ部２２は、ガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備える。このスキャナ部２２は、光源２２２として冷陰極蛍光管等の白色蛍光ランプが用いられ、前記第１ミラー２２３、第２ミラー２２４、第３ミラー２２５、第１キャリッジ２２６、第２キャリッジ２２７及び結像レンズ２２８により、原稿からの光をＣＣＤ２２９に導く。スキャナ部２２は、光源２２２として冷陰極蛍光管等の白色蛍光ランプを用いて構成されていることから、光源として３色ＬＥＤ等が用いられる後述のＣＩＳ２３１よりも色再現性に優れる。
【００３５】
ガラス２２１には、前記原稿給紙部２１によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００３６】
画像読取部２の原稿読取方式としては、ガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。
【００３７】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像データを同時に処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００３８】
ＡＤＦ読取モードでは、原稿給紙部２１が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。原稿給紙部２１による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００３９】
更に、原稿給紙部２１は、切換ガイド２１６、反転ローラ２１７及び反転搬送路２１８を備えた原稿反転機構（反転部）を有する。この原稿反転機構が、１回目のＡＤＦ読み取りによって表面（原稿の一方のページに対応する面）が読み取られた原稿を表裏反転させて読取窓２３０に再搬送することで、再度ＣＣＤ２２９によって裏面（原稿の他方のページに対応する面）の読み取りが行われる。この原稿反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。以下、原稿反転機構を用いて原稿の両面を読み取らせるモードを両面反転読取モードと表記する。
【００４０】
更に、本実施形態の画像読取部２は、ＡＤＦ読取モード時において、前述したように原稿の搬送途中でＣＣＤ２２９（スキャナ部２２）によって原稿の表面の読み取りを行わせると略同時に（略並行して）、ＣＩＳ（第２の読取部）２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モードと表記する。
【００４１】
この両面反転読取モード及び両面同時読取モードは、ＡＤＦ読取モードを用いて原稿の両面読み取りを行う際の読取モードとして備えられている。両面反転読取モードは、両面の印刷画像の画質を揃えたい場合に利用される一方、両面同時読取モードは、両面の印刷画像の画質に差があっても、読取時間の短縮化を優先させたい場合に利用される。なお、本実施形態における複合機１は、両面同時読取モードに初期設定されており、前記読取モードのモード設定操作が何も行われないまま画像形成指示が入力された場合には、両面同時読取モードで原稿の画像読取動作が行われるようになっている。
【００４２】
複合機１は、装置本体３と、装置本体３の左方に配設されたスタックトレイ６とを有している。装置本体３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。また、装置本体３は、給紙トレイ４７１と該給紙トレイ４７１に載置された原稿を１枚ずつ画像形成部４０に向けて繰り出す繰り出しローラ４７２とを備える。
【００４３】
画像形成部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、図略のトナー供給容器（トナーカートリッジ）から行われる。また、画像形成部４０を通過した記録紙をスタックトレイ６又は排出トレイ４８まで搬送する搬送ローラ４６３，４６４等が設けられている。
【００４４】
記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ６又は排出トレイ４８に排出する。
【００４５】
また、装置本体３の前方には、ユーザが操作画面や各種メッセージ等を視認することができる表示部５１や、種々の操作命令を入力するための操作ボタンを有する操作部５が備えられている。図２は操作部５の正面図の一例である。この操作部５は、表示部５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーザに対する操作案内画面が表示される。この表示部５１は、タッチパネル５２と一体的に形成されている。タッチパネル５２は、ユーザによるタッチ操作がなされたときにそのタッチ位置を検知し、該タッチ位置を示す検知信号を後述する制御部６１へ出力するものである。
【００４６】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４７】
図３は、複合機１の電気的な構成を示すブロック図である。尚、図１、図２に示した各部と同一のものには同一の符号を付し、その説明は省略する。複合機１は、原稿給紙部２１、スキャナ部２２、ＣＩＳ２３１、操作部５、画像形成部４０、通信部６６、記憶部６７及び制御部６１を備えて構成される。
【００４８】
原稿給紙部２１は、前記ＡＤＦ読取モードで原稿のコピーやスキャンが行われる際に、原稿トレイ２１１に載置された原稿を自動的に取り込んで、ＣＣＤ２２９やＣＩＳ２３１による原稿の読み取りが可能なように搬送する。操作部５は、図１に示す操作部５に相当するものである。スキャナ部２２及びＣＩＳ２３１は、図１、図２に示すスキャナ部２２及びＣＩＳ２３１に相当するものである。
【００４９】
操作部５は、使用者がコピー機能、プリンタ機能、ファクシミリ機能及びスキャナ機能等に関する操作を行うために使用され、使用者による操作命令（コマンド）等を制御部６１に与えるものである。操作部５は、タッチパネル等を有する表示部５１と、使用者によるコピー実行開始指令、あるいはファクシミリ送信開始指令といった種々の指示入力を行うための前記スタートボタン５５や数字キー群５３等とを含む。
【００５０】
画像形成部４０は、スキャナ部２２又はＣＩＳ２３１によって得られた画像データや、前記パーソナルコンピュータやファクシミリ装置等から通信部６６を介して転送された画像データに基づいた画像を記録紙に形成するものである。通信部６６は、図略のネットワークインターフェースを用い、ネットワークを介して接続されたコンピュータやファクシミリ装置等の外部装置との間で種々のデータの送受信を行うものである。
【００５１】
記憶部６７は、スキャナ部２２及びＣＩＳ２３１の読取動作により得られた画像データや、後述する制御部６１により処理された画像データ等を記憶する記憶部と、ファクシミリ通信を行う時の短縮釦登録の相手先名称やファクシミリ番号、或いは、ネットワークスキャナとして使用される際の送信相手先のＩＰアドレスなどを予め記憶したりする記憶部とを有して構成されているものである。
【００５２】
制御部６１は、複合機１全体の動作制御を司るものであり、ＣＰＵ、ＲＡＭ及びＲＯＭ等によって構成される。前記原稿給紙部２１、スキャナ部２２、ＣＩＳ２３１、操作部５、画像処理部６１５、画像形成部４０及び通信部６６は、制御部６１による制御の下で動作する。制御部６１は、ユーザから操作部５に入力された各種の指示信号等に応じて、図略のＲＯＭ又は前記記憶部６７に記憶されている動作制御プログラムに基づいた処理を実行し、各機能部への指示信号の出力、データ転送等を行って複合機１を統括的に制御する。
【００５３】
ところで、以上のような構成を有する複合機１においては、例えば修正液やインク或いは紙粉等の異物が読取窓２３０に付着することがある。そして、ＡＤＦモードにおいて原稿搬送部５により搬送される原稿に対して画像読取部４により読取動作を行う場合に、読取窓２３０に異物が付着していると、スキャナ部２２における同一の画素が各撮像タイミングで該異物を撮像し、これによって、スキャナ部２２から得られる画像のうち、前記同一の画素の画素位置に対応する主走査方向の位置に、副走査方向に延びる筋状の画像（図４のラインＬ；以下、筋画像という）が形成されることがある。複合機１は、このような筋画像を画像処理によって除去する機能を搭載している。なお、図４は、原稿給送部５による前記読取位置Ｐまでの原稿搬送路が擬似的に直線であるものとして、原稿給送部５によって順番に前記読取位置Ｐへ搬送される各原稿の配列状態を示した図である。
【００５４】
ここで、同一の筋画像が同一の状況下で発生した場合であっても、その筋画像を除去して高画質の画像を得たいと考えるユーザがいたり、逆に、前記筋画像があっても構わないと考えるユーザや、前記筋画像を除去するために更なる時間を要するぐらいならば前記筋画像を除去する必要は無いと考えるユーザもいたりする。
【００５５】
そこで、複合機１は、各原稿について、通常の画像読取動作（原稿に対する画像読取動作）で得られた画像データに前記筋画像を示す画像データ（以下、筋画像データという）が含まれている場合に、その旨をユーザに報知し、前記筋画像を除去したいか否かを入力させ、前記筋画像を除去する指示が入力された場合にのみ、前記筋画像を除去する処理を実施する点が従来技術と相違する。
【００５６】
以上の機能を実現するべく、図３に示すように、記憶部６７は、生データ記憶部６７ａと、変倍画像記憶部６７ｂと、処理済み画像データ記憶部６７ｃとを有し、また、制御部６１は、画像処理部６１１と、表示制御部６１２と、入力受付部６１３とを有する。
【００５７】
なお、ここでは、読取窓２３０に異物が付着した状況において、該異物に起因して発生する筋画像を問題点としているため、スキャナ部２２から出力される画像データに着目して説明する。
【００５８】
生データ記憶部６７ａは、スキャナ部２２から出力された生の（画像処理部６１１による画像処理が行われる前の）画像データを格納するものである。変倍画像記憶部６７ｂは、前記変倍処理部６１１ｂにより生成された後述するサムネイル画像や変倍画像を格納するものである。処理済み画像データ記憶部６７ｃは、前記画像処理部６１１による処理後の画像データを格納するものである。
【００５９】
画像処理部６１１は、画像データに関する各種画像処理を行うものである。例えば、画像処理部６１１は、ＣＣＤ２２９又はＣＩＳ２３１によって取得された画像データや、ネットワーク接続されたパーソナルコンピュータ、公衆回線で接続されたファクシミリ装置等から通信部６６を介して転送されてくる画像データに対して、シェーディング補正、レベル補正、ガンマ補正、色収差補正、ＭＴＦ（Modulation Transfer Function）補正及びスキャナ色補正等の補正処理、画像データの圧縮又は伸長処理、拡大又は縮小処理などの画像加工処理を行う。
【００６０】
また、画像処理部６１１は、画像の中に筋画像が存在するか否かを検出する筋画像検出部６１１ａと、スキャナ部２２の読取動作で得られた画像のサイズを変倍（主に縮小）する変倍処理を行う変倍処理部６１１ｂと、原稿の画像に対する読取動作で得られた画像に対して筋画像を除去するための筋画像除去処理を実施する筋画像除去処理部６１１ｃとを有する。
【００６１】
表示制御部６１２は、表示部５１に後述する画像読取結果画面Ｇ１（図５参照）や筋位置指定画面Ｇ２（図６参照）を含む各種の画面を表示させるものである。以下、画像処理部６１１及び表示制御部６１２等による詳細な処理について説明する。なお、ここでは、ＡＤＦモードにおいて複数の原稿からなる原稿束の画像の読取動作が、操作部５により一括指示されたものとする。
【００６２】
スキャナ部２２から画像データが出力されると、画像処理部６１１は、該画像データを生データ記憶部６７ａに格納する。そして、筋画像検出部６１１ａは、生データ記憶部６７ａに格納された画像データで示される画像に対して、前記筋画像の有無を検出する処理を行う。筋画像は、一般的に、主走査方向に並ぶ画素の中に画素値が大きく異なる画素が存在し、且つ、その画素が副走査方向に亘って、主走査方向の同一位置に存在する形態で現れることから、筋画像検出部６１１ａは、スキャナ部２２から得られた画像データの画素値の分布が例えばこの形態に該当するときに筋画像が存在するものと判断し、副走査方向に並ぶ前記画素値が大きく異なる画素で構成される画像を筋画像として検出する。
【００６３】
変倍処理部６１１ｂは、前記筋画像検出部６１１ａによりいずれかの画像に筋画像が検出された場合に、生データ記憶部６７ａに格納された画像データで示される各画像を予め定められた縮小倍率で縮小した画像（以下、サムネイル画像という）を示す画像データ（以下、サムネイル画像データという）を生成し、該サムネイル画像データを変倍画像記憶部６７ｂに格納する。
【００６４】
表示制御部６１２は、前記サムネイル画像データが変倍画像記憶部６７ｂに格納されると、該サムネイル画像データに基づき、スキャナ部２２の読取動作で得られた全てのページの画像についてのサムネイル画像を含む画像読取結果画面Ｇ１を表示部５１に表示させる。図５は、この画像読取結果画面Ｇ１の一例を示す図である。
【００６５】
図５に示す画像読取結果画面Ｇ１においては、１０ページ分の画像のうち５ページ分の画像のサムネイル画像が所定の配列状態で（例えば横１列に並べて）表示されている。また、該画面の適所（ここでは右側方部）には、「拡大」ボタンＢ１、「縮小」ボタンＢ２、「次ページ」ボタンＢ３、「前ページ」ボタンＢ４、「筋除去位置指定」ボタンＢ５、「ＯＫ」ボタンＢ６及び「キャンセル」ボタンＢ７が配置されている。
【００６６】
表示されているサムネイル画像の中から１つのサムネイル画像が選択された上で「拡大」ボタンＢ１又は「縮小」ボタンＢ２が操作されると、変倍処理部６１１ｂは、そのボタンの操作に対して予め定められた倍率で拡大又は縮小された画像（前記サムネイル画像と異なる画像サイズの画像）を作成する。ここで、変倍処理部６１１ｂは、この拡大又は縮小された画像を作成する際に用いる元データとして、生データ記憶部６７ａに格納された画像データを採用し、該画像データに基づき、前記サムネイル画像生成時の倍率と異なる倍率で、前記操作により生成指示された画像を作成する。変倍処理部６１１ｂは、変倍画像（サムネイル画像を含む）を生成した際には、その画像の各画素位置と、生データ記憶部６７ａに格納された画像データで示される画像の各画素位置との対応関係を示すデータも生成し、変倍画像記憶部６７ｂに格納する。表示制御部６１２は、変倍画像記憶部６７ｂに格納された画像を表示部５１に表示させる。
【００６７】
「次ページ」ボタンＢ３又は「前ページ」ボタンＢ４が操作されると、一連の画像データのうち、現在表示部５１に表示している画像の次又は前の表示順位を有する画像が表示される。
【００６８】
図５に示す画像読取結果画面Ｇ１においては、表示中である５ページ分の画像のうち３ページ目、４ページ目及び５ページ目の画像に筋画像Ｌが検出されたことを示しており、筋画像が検出された前記各画像についてのサムネイル画像の近傍に、筋画像が検出された旨を示すメッセージ（ここでは、「筋あり」の文字）が表示されている。
【００６９】
表示されているサムネイル画像の中から１つのサムネイル画像が、例えば該サムネイル画像の表示領域に対する押圧操作によってユーザにより選択され、さらに「筋除去位置指定」ボタンＢ５が操作されると、図６に示すように、そのサムネイル画像が予め定められた倍率で拡大された拡大画像（例えば矢印Ｘで示す画像）と、筋指定カーソルＭと、「筋除去位置確定」ボタンＢ８と、図５に示す画像読取結果画面Ｇ１に表示を切り替えるための「戻る」ボタンＢ９とを有する筋位置指定画面Ｇ２が表示部５１に表示される。なお、前記拡大画像も、変倍処理部６１１ｂにより前記生データ記憶部６７ａに格納された画像データを用いて生成される。
【００７０】
筋指定カーソルＭは、除去対象の筋（の位置）を指定するための指標であり、図示しない移動ボタンの操作によって筋指定カーソルＭの位置が図６の左右方向に移動する。ユーザは、除去したい筋画像に重畳させる操作を前記移動ボタンによって行う。そして、前記筋除去位置確定ボタンＢ８が操作されると、この時点で前記筋指定カーソルＭと重畳する筋画像が前記筋画像除去処理部６１１ｃの処理対象に設定され、該筋画像を除去する処理が前記筋画像除去処理部６１１ｃにより行われる。
【００７１】
前記筋画像除去処理部６１１ｃによる筋画像除去処理としては、例えば、筋画像の周辺に位置する画像を構成する複数の画像データの平均を算出し、筋画像データに代えてこの平均データを採用する周知の処理が採用可能である。前記筋画像除去処理部６１１ｃによる筋画像除去処理後の画像データは、前記処理済み画像データ記憶部６７ｃに格納される。
【００７２】
その後、「戻る」ボタンＢ９が操作されると、例えば図７に示すように、筋画像除去処理を実施する画像であることを示すメッセージが付加された画像読取結果画面が表示部５１に表示される。
【００７３】
入力受付部６１３は、図５〜図７で示す各ボタンの操作や操作部５に対する操作を受け付け、該操作を示す操作信号を前記画像処理部６１１及び表示制御部６１２に出力するものである。
【００７４】
図８は、制御部６１による筋画像除去処理を示すフローチャートである。
【００７５】
図８に示すように、画像形成動作を実施する指示が行われると（ステップ♯１でＹＥＳ）、制御部６１は、スキャナ部２２等に読取動作を実施させ、該読取動作で得られた画像データを前記生データ記憶部６７ａに格納する（ステップ♯２）。そして、筋画像検出部６１１ａは、前記生データ記憶部６７ａに格納された画像データで示される各画像の中に筋画像が存在するか否かの検出処理を実施する（ステップ♯３）。
【００７６】
その結果、前記筋画像検出部６１１ａによりいずれの画像にも前記筋画像が存在しないと判断された場合には（ステップ♯４でＮＯ）、制御部６１は、前記生データ記憶部６７ａに格納された画像データに基づいて、画像形成部４０に画像形成動作を実施させる（ステップ♯１２）。一方、前記筋画像検出部６１１ａによりいずれかの画像に前記筋画像が存在すると判断された場合には（ステップ♯４でＹＥＳ）、表示制御部６１２は、例えば図５に示すような画像読取結果画面を表示部５１に表示させる（ステップ♯５）。
【００７７】
入力受付部６１３は、この画像読取結果画面において、何らかの入力が行われたか否かを判断する（ステップ♯６）。前記入力とは、例えば表示している画像（サムネイル画像）の拡大や縮小を指示する入力、筋画像除去処理の対象ページを指定する入力、筋位置指定画面Ｇ２に表示の切り替えを指示する入力、筋画像除去処理の対象とすべき筋の位置を指定する入力などである。
【００７８】
入力受付部６１３は、前記入力が行われたものと判断すると（ステップ♯６でＹＥＳ）、その入力が当該画像読取結果画面での入力を完了した旨を示すものであるか否かを判断し（ステップ♯７）、そうでないと判断したときには（ステップ♯７でＮＯ）、表示制御部６１２及び画像処理部６１１は、その入力に対応する表示処理、又は前記入力内容を示す入力データを記憶し（ステップ♯８）、ステップ♯６の処理に戻る。
【００７９】
一方、ステップ♯７において、前記入力が当該画像読取結果画面での入力を完了した旨を示すものであると判断したときには（ステップ♯７でＹＥＳ）、筋画像除去処理部６１１ｃは、ステップ♯８で記憶された入力データに基づき、筋画像除去処理の対象として設定されたページの画像を抽出し、該画像に対して筋画像除去処理を実施する（ステップ♯９）。
【００８０】
以上のように、本実施形態では、読み取った画像の中に筋画像を検出した場合には、その画像について筋画像の除去処理を実施するか否かをユーザに選択させる構成を備えたので、ユーザは、画質を重視するか生産性を重視するかに応じて、筋画像の除去処理の実施についての要否を選択することができる。その結果、前記生産性を重視している場合に、ユーザが前記筋画像除去処理の実行を不要であると考える画像にまで前記筋画像除去処理を実施したり、この不要な筋画像除去処理の実施によってユーザが意図しない複写物が生成されたりするのを回避することができる。
【００８１】
また、筋画像除去処理対象の筋画像をユーザが指定できるようにしたので、ユーザが筋画像の除去処理が不要と考える筋画像にまで前記筋画像除去処理を実施するのを防止することができる。
【００８２】
本件は、前記実施形態に代えて、或いは前記実施形態に加えて次のような変形形態も採用可能である。
【００８３】
［１］前記実施形態では、表示制御部６１２は、筋画像の有無に関係なく、スキャナ部２２により読み取った一連のページの画像全てを表示部５１に表示させるようにしたが、この形態に限らず、表示制御部６１２が、前記一連のページのうち、筋画像が検出された画像を有するページのみを抽出し、この抽出したページの画像のみを表示部５１に表示させるようにしてもよい。
【００８４】
例えば、ガラス２２１上に異物が付着している場合において、或るページに対する読取動作の途中で、該ページによって異物がガラス２２１上から除去される場合がある。この場合、新たな異物がガラス２２１上に付着しない限り、当該ページの次のページから筋画像が検出されなくなる。このような場合には、表示制御部６１２は、当該ページまでの分について読み取った画像を表示部５１に表示させるようにするとよい。
【００８５】
また、表示部５１を用いて筋画像の検出結果を報知するモードと報知しないモードとを複合機１に備えるようにしてもよい。
【００８６】
［２］複数の原稿の画像を読み取った場合に、筋画像除去処理を実施する対象のページ範囲をユーザが設定できるようにしてもよい。例えば５０ページ分の画像を読み取ったものとし、５ページ目から１５ページ目までは、文字以外の絵や図があり、画質が要求されるものとする。このとき、前記画像読取結果画面Ｇ１に、前記ページ範囲の開始ページを示す数値「５」と終了ページを示す数値「１５」との入力を受け付ける領域を設け、この領域に入力されたページ範囲に属する画像を、前記筋画像除去処理部６１１ｃが前記筋画像除去処理の対象として設定し、該画像に対して前記筋画像除去処理を行うように構成する機能を搭載すると、筋画像除去処理を実施する対象の指定操作上の利便性を向上することができる。
【００８７】
また、前記両面読取モードで複数の原稿に対する読取動作を行う場合に、スキャナ部２２による画像の読取動作が行われる奇数ページと、ＣＩＳ２３１による画像の読取動作が行われる偶数ページとのうちいずれのページを筋画像除去処理の実施対象として設定するかをユーザが選択できるようにしてもよい。
【００８８】
［３］通常、異なる読取特性を有する読取素子（例えばスキャナ部２２とＣＩＳ２３１）は読取精度が異なり、スキャナ部２２とＣＩＳ２３１との比較では、一般的にスキャナ部２２の方がＣＩＳ２３１よりも高画質で読み取ることができる。
【００８９】
したがって、前記両面反転読取モードは、スキャナ部２２よりも読取精度が低いＣＩＳ２３１で裏面の画像を取得することを許容せず、原稿を反転する時間を要してでも、ＣＩＳ２３１より高精度で読み取れるスキャナ部２２で裏面の画像を読み取るモードであるから、生産性より画質を優先するモード（以下、画質優先モードという）である一方、前記両面同時読取モードは、スキャナ部２２よりも読取精度が低いＣＩＳ２３１で裏面の画像を取得することを許容するモードであるから、画質より生産性を優先するモード（以下、生産性優先モードという）であるといえる。
【００９０】
ここで、前記筋画像も画質に影響を与えるものである。そこで、この点に鑑みて、前記筋画像除去処理の要否に関する入力操作を前記モードと関連させるようにしてもよい。すなわち、前記画質優先モードでは、表示制御部６１２は、除去したい筋画像を指定するための画面（例えば図６に示す筋位置指定画面）を表示部５１に表示させ、該画面で除去したい筋画像をユーザに指定させる一方、生産性優先モードでは、除去したい筋画像を指定するための画面（例えば図６に示す筋位置指定画面）を表示部５１に表示させず、該画面で除去したい筋画像を指定させる入力ステップを省略したりするようにしてもよい。或いは、筋画像の除去処理自体を省略したりするようにしてもよい。
【００９１】
［４］前記実施形態では、読取窓２３０に付着する異物に起因して生じる筋画像に着目し、スキャナ部２２の読取動作で得られた画像について筋画像除去処理の実施の要否を選択できるようにしたが、シェーディングローラ２１９の表面に異物が付着する場合があり、ＣＩＳ２３１の読取動作で得られた画像についても、筋画像が発生する場合があることから、ＣＩＳ２３１の読取動作で得られた画像についても筋画像除去処理の実施についての要否を選択できるようにしてもよい。
【００９２】
［５］例えば図６に示す筋位置指定画面において、サムネイル画像の拡大、縮小或いは回転を行えるようにすると更に好ましい。例えば、タッチパネル上に、拡大、縮小、回転キー（時計回りや反時計周りに９０度に回転させるキー）等のキーを表示したり、タッチパネル上での２本の指による操作によって拡大や回転ができるようにしたりすると、ユーザビリティが向上するため更に好ましい。
【００９３】
［６］筋画像除去処理対象の筋画像をユーザが選択できるようにしたが、スキャナ部２２やＣＩＳ２３１の読取動作で得られた画像の各部位の中から、前記筋画像除去処理部６１５ａによる筋画像除去処理を実行させる部位を指定する入力を行うためのボタンやスイッチ等（前記除去位置入力部の一例）をタッチパネル等に設けると更に好ましい。
【００９４】
すなわち、図９（ａ）に示すように、文字領域に重畳して筋画像が存在する場合、この筋画像全体を除去対象とすると、図９（ｂ）に示すように、前記筋画像の部位のうち、背景領域に存在する部位Ｙ１，Ｙ２については、背景領域と略同色となるが、文字領域に存在する部位Ｕについては、文字領域の色（例えば黒色）と大きく異なる色（例えば白色）の筋Ｌ’が文字領域内に形成されることとなる。
【００９５】
そこで、図９（ａ）の矢印Ｙ１，Ｙ２で示す部位などのように、１つの筋画像の中でも、筋画像除去処理を実施する部位を指定できるようにすると、図９（ｂ）に示すような不自然な画像が形成されるのを防止することができる。
【図面の簡単な説明】
【００９６】
【図１】複合機の内部構成を概略的に示す側面図である。
【図２】操作部の正面図の一例である。
【図３】複合機の電気的な構成を示すブロック図である。
【図４】原稿給送部による読取位置までの原稿搬送路が擬似的に直線であるものとして、原稿給送部によって順番に前記読取位置へ搬送される各原稿の配列状態を示した図である。
【図５】画像読取結果画面を示す図である。
【図６】筋位置指定画面を示す図である。
【図７】画像読取結果画面を示す図である。
【図８】制御部による筋画像除去処理を示すフローチャートである。
【図９】（ａ）は、文字領域に重畳する筋画像を示す図であり、（ｂ）は、（ａ）に示す状態において、該筋画像全体を除去対象とした場合の不具合を示す図である。
【符号の説明】
【００９７】
１      複合機
２      画像読取部
５      操作部
２２    スキャナ部
４０    画像形成部
５１    表示部
６１    制御部
６７    記憶部
６７ａ  生データ記憶部
６７ｂ  サムネイル画像記憶部
６７ｃ  処理済み画像データ記憶部
６１１  画像処理部
６１２  表示制御部
６１３  入力受付部
２２９  ＣＣＤ
２３１  ＣＩＳ
【図１】
2010021939.tif 000003
【図２】
2010021939.tif 000004
【図３】
2010021939.tif 000005
【図４】
2010021939.tif 000006
【図５】
2010021939.tif 000007
【図６】
2010021939.tif 000008
【図７】
2010021939.tif 000009
【図８】
2010021939.tif 000010
【図９】
2010021939.tif 000011